(57)【要約】【課題】端末機のタッチスクリーンを用いる文字入力装置及び方法を提供する。【解決手段】端末機において文字を入力する装置は、子音キーを含む基本キーセットと、基本キーセットを介して入力された一つの子音キーに該当する子音に組合せ可能な文字を含む文字キーと、を含む拡張キーセットを表示するタッチスクリーンと、基本キーセットを介して子音キーが入力された場合に、拡張キーセットを入力された子音キー上に表示するようにタッチスクリーンを制御し、基本キーセットと拡張キーセットとを介して少なくとも一つの文字が入力される制御部と、を備える構成とした。【選択図】図９
2010198646.tif 000002
【特許請求の範囲】
【請求項１】
端末機において文字を入力する方法であって、
タッチスクリーン上に形成されたキーパッドに含まれている複数の子音キーの中の１つの子音キーがタッチされることにより前記タッチされた子音キーを受信するステップと、
前記タッチされた子音キーが入力された後に、前記タッチスクリーン上をドラッグするドラッグの入力に従って前記タッチされた子音キーに対応する子音と組合せ可能な又は関連した文字を前記子音と結合してディスプレーするステップと
を備えることを特徴とする文字入力方法。
【請求項２】
端末機において文字を入力する方法であって、
タッチスクリーン上に形成されたキーパッドに含まれている複数のキーの中の１つの第１の文字がタッチされることにより前記第１の文字を受信するステップと、
前記第１の文字が入力された後に、前記タッチスクリーン上をドラッグするドラッグの入力に従って前記第１の文字と組み合せ可能な又は関連した文字を前記第１の文字と結合してディスプレーするステップと
を備えることを特徴とする文字入力方法。
【発明の詳細な説明】
【技術分野】
【０００１】
本発明は、端末機の文字入力方法に関し、特に、端末機のタッチスクリーンを介して文字を入力する方法に関する。
【背景技術】
【０００２】
個人用端末機は、携帯できる小型端末機を通称する用語であって、ＰＤＡ（Personal Data Assistant）、無線通信端末機、ＭＰ３プレーヤー、ブルートゥース機器、デジタルカメラなどがあり、以下、ＰＤＡを例に挙げて説明する。一般に、ＰＤＡは、コンピュータの基本となる中央処理処置（ＣＰＵ）、メモリ、ＯＳ（Operating System）、ＯＳを基盤とする様々なソフトウェア、及び周辺機器を備え、情報の収集、保存、作成、及び検索機能を行える機器であり、最近では、携帯電話モジュールを搭載することにより、音声通話及びデータ通信（インターネットの使用）が可能な複合機器として発展してきている。
【０００３】
通常、ＰＤＡは、タッチスクリーンを備えており、タッチスクリーンは、液晶表示装置（Liquid Crystal Display；ＬＣＤ）のようなディスプレイと、ディスプレイ上に配置されるタッチパネルとで構成される。ユーザーは、指またはポインターを用いてタッチスクリーンにディスプレイされるアイコンをタッチすることにより該当するアプリケーションを実行したり、タッチスクリーン上の所定領域にディスプレイされるタッチキーボードをタッチすることによって文字などを入力したりすることができる。
【０００４】
図１は、従来の端末機のタッチキーボード配列のうち、一般的なキーボード配列を示す図である。
図１を参照すると、端末機のタッチスクリーンは、入力された文字を画面に表示するディスプレイ部と、文字が入力されるタッチキーボードとで構成され、このタッチキーボードには、一般的なパーソナルコンピュータ（Personal Computer；以下、“ＰＣ”と称する）のキーボード配列が適用されている。
【０００５】
しかしながら、上記のように、端末機のタッチスクリーンに従来のキーボード配列を適用する場合には、タッチスクリーンの大きさの制限によってタッチスクリーンに表示されるタッチキーボードの大きさが小さくなってしまう。このため、従来のタッチスクリーンを用いる入力方法では、タッチスクリーンに表示されたタッチキーボードのそれぞれのキーが小さくなるので、見ることもタッチすることも不便である。このことより、文字の入力が難しくなり、文字入力の速度が低下する。
したがって、端末機のタッチスクリーンにおいて文字入力を容易にするタッチキーボードを用いて文字を入力する方案が要求されている。
【先行技術文献】
【特許文献】
【０００６】
【特許文献１】韓国特許出願公開第２００１−００００６９２号明細書
【特許文献２】韓国特許出願公開第２００３−００１８６６５号明細書
【特許文献３】韓国特許出願公開第２００５−００３８４２２号明細書
【特許文献４】特開２００６−０２３９５０号公報
【特許文献５】特開２００２−１０８５４３号公報
【発明の概要】
【発明が解決しようとする課題】
【０００７】
本発明は、上記の問題を解決するためのもので、その目的は、端末機のタッチスクリーンにおいて文字入力を容易にするタッチキーボードを用いて文字を入力する文字入力方法を提供することにある。
【課題を解決するための手段】
【０００８】
上記のような目的を達成するために、本発明の一態様によれば、端末機において文字を入力する装置は、子音キーを含む基本キーセットと、上記基本キーセットを介して入力された一つの子音キーに該当する子音に組合せ可能な文字を含む文字キーと、を含む拡張キーセットを表示するタッチスクリーンと、上記基本キーセットを介して上記子音キーが入力された場合に、上記拡張キーセットを上記入力された子音キー上に表示するように上記タッチスクリーンを制御し、上記基本キーセットと上記拡張キーセットとを介して少なくとも一つの文字が入力される制御部と、を備えることを特徴とする。
【０００９】
本発明の他の態様によれば、端末機において文字を入力する方法は、子音キーを含む基本キーセットを表示するステップと、上記基本キーセットを介して上記子音キーのうち一つの子音キーが入力されるステップと、上記子音キーに該当する子音に組合せ可能な文字を含む文字キーを含む拡張キーセットを、タッチスクリーン上に表示するステップと、上記拡張キーセットを介して少なくとも一つの文字キーが入力されるステップと、を含むことを特徴とする。
本発明の実施形態のさらに他の態様によれば、端末機において文字を入力する装置は、予め定められる複数の四角形基本文字キーを含む基本キーセットと、上記基本キーセットを介して上記基本文字キーの中で選択された第１の文字キーに対応する第１の文字を中心に上記第１の文字と関連した複数の第２の文字がそれぞれ割り当てられた複数の四角形第２の文字キーが上記第１の文字の少なくとも上下左右側に形成される拡張キーセットを表示するタッチスクリーンと、上記基本キーセットを介して上記第１の文字キーの選択を受けた場合に上記拡張キーセットを表示するように上記タッチスクリーンを制御し、上記拡張キーセットを介して少なくとも一つの文字の入力を受ける制御部とを備えることを特徴とする。ここで、上記それぞれの第２の文字キーは、上記第１の文字キーと同一のサイズを有する。また、上記第２の文字キーは、上記第１の文字を中心におき、上記第１の文字を取り囲むように上記第１の文字の周囲に形成される。上記タッチスクリーンの下部には、上記基本キーセットを表示するタッチキーボードが形成され、上記タッチスクリーンの上部には、上記タッチキーボードにより入力された文字を表示するディスプレー部が形成され、上記拡張キーセットの一部分は、上記ディスプレー部に表示される。さらに、上記タッチスクリーン上に入力されるタッチ移動入力が向かう方向に形成された第２の文字キーに割り当てられた文字が上記ディスプレー部に表示される。なお、上記拡張キーセットは、上記第１の文字キーより大きく、上記第１の文字キーに隣接した他の第１の文字キーに表示された文字を遮らないように形成される。また、上記拡張キーセットは、ハイライトされて表示される。
本発明の実施形態のさらなる他の態様によれば、端末機において文字を入力する方法は、予め定められる複数の四角形基本文字キーを含む基本キーセットをタッチスクリーンに表示するステップと、上記基本キーセットを介して上記基本文字キーの中で第１の文字キーの選択を受けるステップと、上記選択された第１の文字キーに対応する第１の文字を中心に上記第１の文字と関連した複数の第２の文字がそれぞれ割り当てられた複数の四角形第２の文字キーが上記第１の文字の少なくとも上下左右側に形成される拡張キーセットを表示するステップと、上記拡張キーセットを介して上記第２の文字キーの中で少なくとも一つの文字キーの入力を受けるステップとを備えることを特徴とする。ここで、上記それぞれの第２の文字キーは、上記第１の文字キーと同一のサイズを有する。また、上記第２の文字キーは、上記第１の文字を中心におき、上記第１の文字を取り囲むように上記第１の文字の周囲に形成される。さらに、上記タッチスクリーンの下部には、上記基本キーセットを表示するタッチキーボードが形成され、上記タッチスクリーンの上部には、上記タッチキーボードにより入力された文字を表示するディスプレー部が形成され、上記拡張キーセットの一部分は、上記ディスプレー部に表示される。また、上記拡張キーセットは、ハイライトされて表示される。
【発明の効果】
【００１０】
本発明の実施形態によれば、タッチキーボードにおいて、入力されたキーに対して次に入力可能な文字を含むポップアップウィンドウとして拡張キーセットを表示するので、文字の入力を容易にすることが可能となる。
また、本発明によれば、小さいスクリーンの端末機において次に入力可能な文字を含む拡張キーセットを拡大して表示するので、ユーザーは、所望の文字を迅速且つ容易に入力することができる。
また、本発明によれば、端末機において拡張キーセットを用いてタッチスクリーンを介した初期入力画面に配置される文字キーの数を最小化することができる。
【図面の簡単な説明】
【００１１】
【図１】従来の端末機のタッチキーボード配列の中で一般的なキーボード配列を示す図である。
【図２Ａ】本発明の実施形態による中国語の入力のための基本キーセットの例を示す図である。
【図２Ｂ】本発明の実施形態による中国語の入力のための基本キーセットの例を示す図である。
【図３Ａ】本発明の実施形態による中国語の入力のための拡張キーセットの例を示す図である。
【図３Ｂ】本発明の実施形態による中国語の入力のための拡張キーセットの例を示す図である。
【図３Ｃ】本発明の実施形態による中国語の入力のための拡張キーセットの例を示す図である。
【図３Ｄ】本発明の実施形態による中国語の入力のための拡張キーセットの例を示す図である。
【図４Ａ】本発明の実施形態による基本キーセットと拡張キーセットとを用いるタッチキーボードを示す図である。
【図４Ｂ】本発明の実施形態による基本キーセットと拡張キーセットとを用いるタッチキーボードを示す図である。
【図５】本発明の実施形態によるタッチキーボードを介して文字を入力する方法を示す図である。
【図６】本発明の実施形態によるタッチキーボードを介して文字を入力する方法を示す図である。
【図７】本発明の実施形態によるタッチキーボードを介して文字を入力する方法を示す図である。
【図８】本発明の実施形態によるタッチキーボードを用いる文字入力装置を示すブロック図である。
【図９】本発明の実施形態によるタッチキーボードを用いる文字入力方法を示すフローチャートである。
【発明を実施するための形態】
【００１２】
以下、本発明の好適な一実施形態を、添付図面を参照しつつ詳細に説明する。本発明の実施形態の下記の説明において、本発明の要旨のみを明瞭にする目的で、関連した公知の機能又は構成に関する具体的な説明は省略する。
本発明の主な要旨は、文字を入力するために、タッチキーボードに全ての子音キーを表示し、同タッチキーボードにおいて一つの子音キーがタッチされて入力されると、上記入力された子音キーと組合せ可能な文字キーを含むポップアップウィンドウを拡大して表示することにある。
【００１３】
以下、本明細書では、全ての子音キーが含まれたタッチキーボードの初期画面を‘基本キーセット’と定義し、この基本キーセットを介して入力された子音キーと組合せ可能な文字キーが含まれたポップアップウィンドウを‘拡張キーセット’と定義する。
本明細書では、子音や母音のキーが含まれたタッチキーボードの具体的な例について言及するが、各キーの使用頻度や目的に応じて、タッチキーボード上に配列されるキーの個数は、増加または減少されてもよく、他のキー配列が使用されてもよい。なお、ここでは、中国語及び英語を入力する方法について説明するが、本発明の実施形態は、母音と子音とを有する文字であれば、いずれの言語にも適用されることができる。
【００１４】
図２Ａ及び図２Ｂは、本発明の実施形態による中国語の入力のための基本キーセットの例を示す図である。
本発明の実施形態による中国語の入力のための基本キーセットは、図２Ａに示すように、６＊４配列で、母音（ａ、ｅ、ｉ、ｏ、ｕ）を除いた子音をアルファベット順に各キーに配置してＢ、Ｃ、Ｄ、Ｆ、Ｇ、Ｈ、Ｊ、Ｋ、Ｌ、Ｍ、Ｎ、Ｐ、Ｑ、Ｒ、Ｓ、Ｔ、Ｗ、Ｘ、Ｙ、Ｚのように構成されるか、または、図２Ｂに示すように、上記子音をＱＷＥＲＴＹキーボード配列で各キーに配置してＱ、Ｗ、Ｒ、Ｔ、Ｙ、Ｕ、Ｉ、Ｏ、Ｐ、Ａ、Ｓ、Ｄ、Ｆ、Ｇ、Ｈ、Ｊ、Ｋ、Ｌ、Ｚ、Ｘ、Ｃ、Ｖ、Ｂ、Ｎ、Ｍのように構成される。上記基本キーセットは、上記子音の他に中国語のピン音の構成のために、初期入力可能な文字であるＥｒキーをさらに含む。また、上記基本キーセットは、上記子音と上記Ｅｒキーの他に、スペースバーの役割をするキー、バックスペースの役割をするキー及び母音の直接入力のための‘ａｕｅｉｏ’キーをさらに含むことができる。
【００１５】
なお、図２Ａ及び図２Ｂに示す基本キーセットにおいて、Ｃ、Ｓ、Ｚキーは、それぞれ、ＣまたはＣｈ、ＳまたはＳｈ、ＺまたはＺｈの入力に使用され、これらのＣ、Ｓ、Ｚキーがポインターでタッチされるか、該当するキー領域内で短くドラッグされると、ＣまたはＣｈ、ＳまたはＳｈ、ＺまたはＺｈがそれぞれタッチスクリーンに表示される。
一方、上記基本キーセットが中国語及び英語以外の他の言語に適用される場合には、図２Ａ及び図２Ｂに示すタッチキーボードにおいて、Ｃ、Ｓ、Ｚキーに下付き文字で表示されたｈ、Ｅキーに下付き文字で表示されたｒが省略されることができる。
【００１６】
図２Ａまたは図２Ｂの基本キーセットにおいて、一つの子音キーが入力されると、この入力された子音キー上または、ディスプレイ領域に拡張キーセットが表示され、以下、一例として上記拡張キーセットがタッチキーボード領域に表示される場合について説明する。図２Ａまたは図２Ｂの基本キーセットに使用可能な拡張キーセットの例を、図３Ａから図３Ｄに示す。
図３Ａから図３Ｄは、本発明の実施形態による中国語の入力のための拡張キーセットの例を示す図である。ここで、拡張キーセットの各キーは、ポインティングに不便さを招かない程度の大きさを有し、拡張キーセットの領域は、基本キーセットにおける他の子音のポインティングに不便さを招かない程度の大きさを有すればよい。
【００１７】
図３Ａの拡張キーセットでは、基本キーセットから入力されたキー（例えば、Ｍ）が中央に配置され、この入力されたキーと組合せ可能な母音キーであるａ、ｅ、ｉ、ｏ、ｕキーと中国語においてよく語尾にくるｎ及びｇのキーとが、入力されたキーの周囲に配置される。
図３Ｂの拡張キーセットでは、基本キーセットから入力されたキー（例えば、Ｍ）が配置され、この入力されたキーと組合せ可能な母音キーであるａ、ｅ、ｉ、ｏ、ｕキーが、この入力されたキーの周囲に配置される。
図３Ｃの拡張キーセットでは、入力されたキーと組合せ可能な母音キーであるａ、ｅ、ｉ、ｏ、ｕキーが配置される。
図３Ｄの拡張キーセットでは、入力されたキーと組合せ可能な母音キーであるａ、ｅ、ｉ、ｏ、ｕ、ｙキーが配置される。
【００１８】
なお、図示していないが、本発明の拡張キーセットは、中国語において語尾によく来るｎキー及びｇキーが動的に状況に応じてさらに配置されてもよく、入力されたキーと組合せ可能なファンクションキー（例えば、スペースキー、バックキー（←））をさらに含んでもよい。
【００１９】
また、図３Ａから図３Ｄに示す拡張キーセットにおいて、ｕキーは、ｕ及び
【数１】
2010198646.tif 000003
の入力に使用され、ｕキーが該当するキー領域内で、ポインターでタッチされるか、または短くドラッグされると、そのタッチスクリーンにｕまたは
【数２】
2010198646.tif 000004
で表示される。また、ｅキーが該当するキー領域内で、ポインターでタッチされるか、該当するキー領域内で短くドラッグされると、タッチスクリーンにｅまたはｅｒで表示される。
なお、拡張キーセットから母音キーのａ、ｅ、ｉ、ｏ、ｕキーのうち一つのキーが入力される場合には、入力された母音キーは、語尾によく使われるｎキーに変更され、この変更されたｎキーが入力される場合には、このｎキーは、語尾によく使われるｇキーに変更される。上記変更されたキーを含む変更された拡張キーセットは、所定の時間が経過すると初期拡張キーセットに復帰される。
【００２０】
図４Ａ及び図４Ｂは、本発明の実施形態による基本キーセットと拡張キーセットとを用いるタッチキーボードを示す図である。
図４Ａに示すように、６＊４配列を用いる基本キーセットを介してＭキーが入力された場合に、この入力されたＭキーが中央に配置され、この入力されたＭキーと組合せ可能な母音キー（例えば、中国語の母音であるａ、ｅ、ｉ、ｏ、ｕ、ｙ）と、よく使われる文字のキー（例えば、中国語において語尾によく使われるｎキー、ｇキー）とが、入力されたＭキーの周囲に配置されてなる拡張キーセットが、上記基本キーセット上で入力されたＭキーにオーバーラップするようにして表示される。
図４Ｂに示すように、ＱＷＥＲＴＹキーボード配列を用いる基本キーセットを介してＭキーが入力された場合に、この入力されたＭキーが配置され、この入力されたＭキーと組合せ可能な母音キー（例えば、中国語の母音であるａ、ｅ、ｉ、ｏ、ｕ）が上記入力されたＭキーの周辺に配置されてなる拡張キーセットが、基本キーセットで上記入力されたＭキーにオーバーラップするようにして表示される。
【００２１】
図５乃至図７は、本発明の実施形態によるタッチキーボードを介して文字を入力する方式を示す図である。
図５を参照すると、ユーザーが６＊４配列で配列された基本キーセットを有するタッチキーボードを介して“ＮｉＨａｏ”を入力する場合について説明する。まず、ユーザーが、図５の（Ａ）に示すように、タッチキーボードに表示された基本キーセットにおいて“ＮｉＨａｏ”の最初の文字である子音Ｎを入力するためにＮキー５０１をポインターでタッチするか、タッチしてから所定の時間の間ポインターを離さないと、子音Ｎがディスプレイ部５００に表示され、図５の（Ｂ）のように、タッチキーボードには、Ｎキー５０１に対する拡張キーセット５０２が表示される。そして、図５の（Ｂ）に示すように、ユーザーが拡張キーセット５０２に含まれたキーの中、ｉキー５０３をポインターでタッチするか、タッチしてから所定の時間の間ポインターを離さないか、または、Ｎキー５０１からｉキー５０３までドラッグアンドドロップ（Drag and Drop）を行うと、ディスプレイ部５００にＮｉが表示される。
【００２２】
ユーザーが次の文字である子音Ｈを入力するために、図５の（Ｃ）に示すように、タッチキーボードに表示された基本キーセットにおいて、Ｈキー５０４をポインターでタッチするか、タッチしてから所定の時間の間ポインターを離さないか、または、ｉキー５０３からＨキー５０４までドラッグアンドドロップを行うと、Ｈがディスプレイ部５００に表示され、図５の（Ｄ）に示すように、Ｈキー５０４に対する拡張キーセット５０５がタッチキーボードに表示される。この際、Ｎｉは、中国語のピン音に該当するので、Ｎｉの変わりに、それに該当する漢字とＨとがディスプレイ部５００に表示されることができる。そして、タッチキーボードにおいて、Ｎキー５０１に対する拡張キーセット５０２は、他の子音（すなわち、子音Ｈ）がディスプレイ部に表示される際に除去されてもよく、上記子音（すなわち、Ｎ）がディスプレイ部から削除される際に除去されてもよい。次いで、図５の（Ｄ）に示すように、ユーザーがａを入力するために、拡張キーセット５０５に含まれたキーのうち、ａキー５０６をポインターでタッチするか、タッチしてから所定の時間の間ポインターを離さないか、または、Ｈキー５０４からａキー５０６までドラッグアンドドロップを行うと、Ｈａがディスプレイ部に表示される。この際、Ｎｉの変わりに、それに該当する漢字とＨａとがディスプレイ部５００に表示されることができる。
最後に、ユーザーが次の文字である母音ｏを入力するために、図５の（Ｅ）に示すように、拡張キーセット５０７において、ｏキー５０８をポインターでタッチするか、タッチしてから所定の時間の間ポインターを離さないか、または、ａキー５０６からｏキー５０８までドラッグアンドドロップを行うと、ディスプレイ部５００にＨａｏが表示される。この際、特定のキーがタッチされると、上記Ｈａｏが中国語のピン音に該当するので、Ｎｉの変わりに、それに該当する漢字と、Ｈａｏの変わりに、それに該当する漢字とが、ディスプレイ部５００に表示されることができる。
【００２３】
図６を参照すると、ユーザーが６＊４配列で配列された基本キーセットを有するタッチキーボードを介して“Ｓｈｕａｎｇ”を入力する場合について説明する。まず、図６の（Ａ）に示すように、タッチキーボードに表示された基本キーセットにおいて、ユーザーが“Ｓｈｕａｎｇ”の最初の文字である子音Ｓと子音ｈを同時に入力するために、Ｓキー６０１をポインターでタッチした後に、上記ポインターを所定の時間の間離さずに特定の領域（すなわち、Ｓキーの領域内）で短くドラッグすると、Ｓｈがディスプレイ部に表示され、図６の（Ｂ）に示すように、タッチキーボードには、Ｓキー６０１に対する拡張キーセット６０２が表示される。次いで、図６の（Ｂ）に示すように、ユーザーが拡張キーセット６０２に含まれたキーのうち、ｕキー６０３をポインターでタッチするか、タッチしてから所定の時間の間ポインターを離さないか、または、Ｓキー６０１からｕキー６０３までドラッグアンドドロップを行うと、Ｓｈｕがディスプレイ部に表示される。この際、拡張キーセット１２０２は、‘ｕ’キー１２０３の代わりに、‘ｎ’キーを含む拡張キーセット１２０４に変更される。
その後、ユーザーが次の文字である母音ａを入力するために、図６の（Ｃ）に示すように、拡張キーセット６０４においてａキー６０５をポインターでタッチするか、タッチしてから所定の時間の間ポインターを離さないか、または、ｕキー６０３からａキー６０５までドラッグアンドドロップを行うと、ディスプレイ部にＳｈｕａが表示され、図６の（Ｄ）に示すように、変更された拡張キーセット６０６が表示される。変更された拡張キーセット１２０６は、拡張キーセット１２０２の‘ａ’キー１２０５が‘ｎ’キー１２０７に変換されたことを意味する。ユーザーが拡張キーセット６０６において、ｎキー６０７をポインターでタッチするか、タッチしてから所定の時間の間ポインターを離さないと、ディスプレイ部にＳｈｕａｎが表示され、図６の（Ｅ）に示すように、変更された拡張キーセット６０８が表示される。変更された拡張キーセット１２０８は、拡張キーセット１２０６の‘ｎ’キー１２０７が‘ｇ’キー１２０９に変換されたことを意味する。ユーザーが拡張キーセット６０８においてｇキー６０９をポインターでタッチするか、タッチしてから所定の時間の間ポインターを離さないと、ディスプレイ部にＳｈｕｎａｇまたはこれに該当する漢字が表示される。
【００２４】
図７を参照すると、ユーザーが６＊４配列で配列された基本キーセットを有するタッチキーボードを介して中国語の
【数３】
2010198646.tif 000005
を入力する場合について説明する。図７の（Ａ）に示すように、タッチキーボードに表示された基本キーセットにおいて、ユーザーが
【数４】
2010198646.tif 000006
の最初の文字である子音Ｓを入力するためにＳキー７０１をポインターでタッチするか、タッチしてから所定の時間の間ポインターを離さないと、子音Ｓがディスプレイ部に表示され、図７の（Ｂ）のように、タッチキーボードにＳキー７０１に対する拡張キーセット７０２が表示される。続いて、拡張キーセット７０２において、ユーザーが次の文字である母音ｕを入力するためにｕキー７０３をポインターでタッチするか、タッチしてから所定の時間の間ポインターを離さないか、または、Ｓキー７０１からｕキー７０３まで図７に示す矢印のように、短くドラッグアンドドロップを行うと、ディスプレイ部に
【数５】
2010198646.tif 000007
またはこれに該当する漢字が表示される。
【００２５】
図８は、本発明の実施形態によるタッチキーボードを用いる文字入力装置を示すブロック図である。
図８を参照すると、本発明の実施形態による文字入力装置は、タッチキーボード（図示せず）及びディスプレイ部（図示せず）を含むタッチスクリーン８１０と、入力感知部８３０と、制御部８５０と、を備える。
【００２６】
タッチスクリーン８１０は、制御部８５０の制御により、タッチキーボードを基本キーセットあるいは基本キーセットと拡張キーセットとの組み合せで表示し、上記表示されたタッチキーボードを介して入力されたキーに該当する文字を、ディスプレイ部に表示する。
入力感知部８３０は、ユーザーが、タッチスクリーン８１０に表示されたタッチキーボードの特定キーをポインターでタッチするか、タッチしてから所定の時間の間ポインターを離さないか、または、ポインターのドラッグアンドドロップを行うか、または、ポインターを所定の時間の間離さずに特定の領域でドラッグすると、この特定キーの入力を感知し、上記入力されたキーを制御部８５０に送る。
制御部８５０は、送られてきたキーに対応する文字またはその組合せがタッチスクリーン８１０のタッチキーボード及び／またはディスプレイ領域に表示されるように制御し、基本キーセットまたは基本キーセットと拡張キーセットとの組合せがタッチスクリーン８１０のディスプレイ部に表示されるように制御する。すなわち、制御部８５０は、まず、基本キーセットを表示し、基本キーセットで入力されたキーに該当する文字が子音である場合には、基本キーセット上に拡張キーセットが表示されるようにタッチスクリーン８１０を制御する。ここで、上記組み合わせを上記タッチキーボードに表示することは、以前に入力された文字との組み合せ状態を表示するためである。
【００２７】
以下、図９に基づき、制御部８５０によって遂行される文字入力方法について説明する。
図９は、本発明の実施形態によるタッチキーボードを用いる文字入力方法を示すフローチャートである。
図９を参照すると、ステップ９０１で、制御部８５０は、基本キーセットまたは基本キーセットと拡張キーセットとの組み合わせが表示されるようにタッチスクリーン８１０を制御し、ユーザーのキー入力を待機する。
ステップ９０３で、制御部８５０は、タッチスクリーン８１０に表示された特定キーの入力が入力感知部８３０で感知されると、その感知の結果を受信し、基本キーセットまたは拡張キーセットを介したキー入力を確認する。ここで、上記感知の結果には、特定キーがポインターでタッチされたか、タッチされてから所定の時間の間ポインターを離さなかったか、ポインターのドラッグアンドドロップを行ったか、ポインターを所定の時間の間離さずに特定の領域でドラッグしたかなどが含まれる。
【００２８】
ステップ９０５で、制御部８５０は、入力されたキーが文字であるかを判断し、文字である場合には、ステップ９０９に進む。一方、文字でない場合には、ステップ９０７に進み、入力されたキーに該当する動作を行う。
ステップ９０９で、制御部８５０は、入力されたキーに該当する文字と以前に入力されたキーに該当する文字との組合せが可能であるか否かを確認し、かかる組合せが可能な場合には、上記入力されたキーに該当する文字と上記以前に入力されたキーに該当する文字とを組み合せ、上記組み合せられた文字をタッチスクリーン８１０に表示する文字として決定し、組み合せが不可能な場合、すなわち、上記以前に入力されたキーが存在しない場合には、入力されたキーに該当する文字をタッチスクリーン８１０に表示する文字として決定する。
【００２９】
例えば、中国語の入力では、制御部８５０は、上記入力されたキーに該当する文字と上記以前に入力されたキーに該当する文字とを組み合わせ、組み合せられた結果が中国語のピン音に該当するかを確認した後に、該当する漢字があると、該当する漢字をタッチスクリーン８１０に表示する文字として決定することができる。また、中国語の入力では、制御部８５０は、ユーザーが、Ｃ、Ｓ、Ｚにタッチされたポインターを特定の領域内（すなわち、Ｃキー、Ｓキー、Ｚキーの各領域内）で短くドラッグしたという感知結果を受信すると、上記入力されたキーに該当する文字にｈを組み合わせ、組み合せられた文字Ｃｈ、Ｓｈ、Ｚｈをタッチスクリーン８１０に表示する文字として決定する。また、制御部８５０は、上記感知結果として、ユーザーが拡張キーセットのｕキーにタッチされたポインターを特定の領域内（すなわち、Ｕキーの領域内）でドラッグしたという結果を受けると、文字
【数６】
2010198646.tif 000008
を、表示する文字として決定する。
【００３０】
ステップ９１１で、制御部８５０は、確認された文字がタッチスクリーン８１０に表示されるように制御する。
ステップ９１３で、制御部８５０は、上記入力されたキーに該当する文字が基本キーセットで入力されたかを判断し、基本キーセットで入力された場合には、入力されたキーに対する拡張キーセットを表示するために、ステップ９１５に進み、基本キーセットで入力されなかった場合（すなわち、拡張キーセットで入力された場合）には、すでに表示されている拡張キーセットを変更するか否かを判断するために、ステップ９１７に進む。
【００３１】
ステップ９１５で、制御部８５０は、上記入力されたキーに対する拡張キーセットが上記入力されたキーにオーバーラップして表示されるようにタッチスクリーン８１０を制御した後に、ステップ９０１に戻ってユーザーのキー入力を待機する。この際、制御部８５０は、ステップ９１５で、上記以前に入力されたキーに対する拡張キーセットがタッチキーボード上に存在すると、上記以前に入力されたキーに対する拡張キーセットを除去し、現在入力されたキーに対する拡張キーセットのみを含むタッチキーボードが表示されるようにタッチスクリーン８１０を制御する。
一方、ステップ９１３において拡張キーセットで入力された場合と判断されると、ステップ９１７で、制御部８５０は、拡張キーセットを変更するか否かを判断し、拡張キーセットを変更すべき場合には、ステップ９１９に進行して拡張キーセットを変更し、拡張キーセットを変更する必要がない場合には、ステップ９０１に戻って、ユーザーのキー入力を待機する。
【００３２】
以上では、本発明を具体的な実施形態を参照して詳細に説明してきたが、本発明の範囲及び精神を逸脱することなく様々な変形が可能である。例えば、本発明は、中国語に限定されず、子音と母音とを有する他の言語にも大きな変形なしに容易に適用可能である。したがって、本発明の範囲は、上述の実施形態に限定されるべきではなく、特許請求の範囲の記載及びこれと均等なものの範囲内で定められるべきである。
【符号の説明】
【００３３】
８１０  タッチスクリーン
８３０  入力感知部
８５０  制御部
【図１】
2010198646.tif 000009
【図２Ａ】
2010198646.tif 000010
【図２Ｂ】
2010198646.tif 000011
【図３Ａ】
2010198646.tif 000012
【図３Ｂ】
2010198646.tif 000013
【図３Ｃ】
2010198646.tif 000014
【図３Ｄ】
2010198646.tif 000015
【図４Ａ】
2010198646.tif 000016
【図４Ｂ】
2010198646.tif 000017
【図５】
2010198646.tif 000018
【図６】
2010198646.tif 000019
【図７】
2010198646.tif 000020
【図８】
2010198646.tif 000021
【図９】
2010198646.tif 000022